(57)【要約】  無線プリンタシステムは、受信される無線周波数信号に基づいてベースバンド信号を生成する無線送受信機を備える。第１のシステムオンチップは、無線送受信機と通信すると共に、１つのシステムオンチップを含む。このシステムオンチップは、無線インタフェースモジュールと、画像化モジュールとを備える。無線インタフェースモジュールは、無線インタフェースソフトウェアを介してベースバンド信号を処理して印刷データ信号を生成する。画像化モジュールは、画像化ソフトウェアを介して印刷データ信号を処理して印刷画像信号を生成する。【選択図】なし
2009538477.tif 000002
【特許請求の範囲】
【請求項１】
無線プリンタシステムであって、
受信される無線周波数信号に基づいてベースバンド信号を生成する無線送受信機と、
前記無線送受信機と通信する第１のシステムオンチップと、
を備え、
前記第１のシステムオンチップは、無線インタフェースソフトウェアを介して前記ベースバンド信号を処理して印刷データ信号を生成する無線インタフェースモジュールと、
画像化ソフトウェアを介して前記印刷データ信号を処理して印刷画像信号を生成する画像化モジュールと、
を有する、無線プリンタシステム。
【請求項２】
前記第１のシステムオンチップは中央処理装置を含む、請求項１に記載の無線プリンタシステム。
【請求項３】
前記第１のシステムオンチップを含むシステムインパッケージをさらに備える、請求項１に記載の無線プリンタシステム。
【請求項４】
前記システムインパッケージは、前記無線インタフェースモジュール及び前記画像化モジュールと通信するメモリを備える、請求項３に記載の無線プリンタシステム。
【請求項５】
前記メモリは第２のシステムオンチップを含む、請求項４に記載の無線プリンタシステム。
【請求項６】
前記第２のシステムオンチップは前記無線インタフェースソフトウェア及び前記画像化ソフトウェアを含む、請求項５に記載の無線プリンタシステム。
【請求項７】
前記メモリは前記無線インタフェースソフトウェア及び前記画像化ソフトウェアを含む、請求項４に記載の無線プリンタシステム。
【請求項８】
前記システムインパッケージは、前記無線インタフェースソフトウェア及びプリンタ画像化ソフトウェア並びにデータを記憶するメモリ集積回路を備える、請求項３に記載の無線プリンタシステム。
【請求項９】
前記システムインパッケージは前記無線送受信機の少なくとも１つの構成要素を含む、請求項３に記載の無線プリンタシステム。
【請求項１０】
前記システムインパッケージは、受信機、送信機、低雑音増幅器、及び電力増幅器から選択される、前記無線送受信機の少なくとも１つの構成要素を含む、請求項３に記載の無線プリンタシステム。
【請求項１１】
前記システムインパッケージは複数のダイを含む、請求項３に記載の無線プリンタシステム。
【請求項１２】
前記複数のダイは、送受信機ダイと、メモリダイとを含む、請求項１１に記載の無線プリンタシステム。
【請求項１３】
前記第１のシステムオンチップはネットワーク処理モジュールを備える、請求項１に記載の無線プリンタシステム。
【請求項１４】
前記第１のシステムオンチップは少なくとも１つの周辺機器処理モジュールを備える、請求項１に記載の無線プリンタシステム。
【請求項１５】
前記第１のシステムオンチップは少なくとも１つの入／出力（Ｉ／Ｏ）処理モジュールを備える、請求項１に記載の無線プリンタシステム。
【請求項１６】
請求項１に記載の無線プリンタシステムを備えると共に、前記印刷画像信号に基づいて印刷する印刷機構をさらに備える、プリンタ。
【請求項１７】
無線プリンタシステムを動作させる方法であって、
無線送受信機を介して受信される無線周波数信号に基づいてベースバンド信号を生成すること、
システムオンチップを介して前記無線送受信機と通信すること、
無線インタフェースソフトウェアを使用して前記ベースバンド信号を処理し、前記システムオンチップ上で印刷データ信号を生成する、処理すること、及び
画像化ソフトウェアを使用して前記印刷データ信号を処理し、前記システムオンチップ上で印刷画像信号を生成すること、
を含む、方法。
【請求項１８】
中央処理装置を介して前記印刷データ信号及び前記印刷画像信号を生成することを含む、請求項１７に記載の方法。
【請求項１９】
前記システムオンチップを含むシステムインパッケージを介して前記無線送受信機と通信することを含む、請求項１７に記載の方法。
【請求項２０】
前記システムインパッケージ内に含まれるメモリを介して前記無線インタフェースモジュール及び前記画像化モジュールと通信することを含む、請求項１９に記載の方法。
【請求項２１】
前記メモリ内に記憶される前記無線インタフェースソフトウェア及び前記画像化ソフトウェアを介して前記無線インタフェースモジュール及び前記画像化モジュールと通信することを含む、請求項１９に記載の方法。
【請求項２２】
プリンタを介して前記印刷データ信号及び前記印刷画像信号を生成すること、並びに
前記印刷画像信号に基づいて印刷すること、
を含む、請求項１７に記載の方法。
【請求項２３】
無線プリンタシステムであって、
受信される無線周波数信号に基づいてベースバンド信号を生成する無線送受信手段と、
前記無線送受信機と通信する第１のシステムオンチップと、
を備え、
前記第１のシステムオンチップは、
無線インタフェースソフトウェアを介して前記ベースバンド信号を処理し、印刷データ信号を生成する無線インタフェース手段と、
画像化ソフトウェアを介して前記印刷データ信号を処理し、印刷画像信号を生成する画像化手段と、
を有する、無線プリンタシステム。
【請求項２４】
前記第１のシステムオンチップは中央処理装置を含む、請求項２３に記載の無線プリンタシステム。
【請求項２５】
前記第１のシステムオンチップを含むシステムインパッケージをさらに備える、請求項２３に記載の無線プリンタシステム。
【請求項２６】
前記システムインパッケージは、前記無線インタフェース手段及び前記画像化手段と通信する記憶手段を備える、請求項２５に記載の無線プリンタシステム。
【請求項２７】
前記記憶手段は第２のシステムオンチップを含む、請求項２６に記載の無線プリンタシステム。
【請求項２８】
前記第２のシステムオンチップは前記無線インタフェースソフトウェア及び前記画像化ソフトウェアを含む、請求項２７に記載の無線プリンタシステム。
【請求項２９】
前記記憶手段は前記無線インタフェースソフトウェア及び前記画像化ソフトウェアを含む、請求項２６に記載の無線プリンタシステム。
【請求項３０】
前記システムインパッケージは、前記無線インタフェースソフトウェア及びプリンタ画像化ソフトウェア並びにデータを記憶する記憶手段を備える、請求項２５に記載の無線プリンタシステム。
【請求項３１】
前記システムインパッケージは前記無線送受信手段の少なくとも１つの構成要素を含む、請求項２５に記載の無線プリンタシステム。
【請求項３２】
前記システムインパッケージは、受信機、送信機、低雑音増幅器、及び電力増幅器から選択される、前記無線送受信手段の少なくとも１つの構成要素を含む、請求項２５に記載の無線プリンタシステム。
【請求項３３】
前記システムインパッケージは複数のダイを含む、請求項２５に記載の無線プリンタシステム。
【請求項３４】
前記複数のダイは、送受信機ダイと、メモリダイとを含む、請求項３３に記載の無線プリンタシステム。
【請求項３５】
前記第１のシステムオンチップはネットワーク処理モジュールを備える、請求項２３に記載の無線プリンタシステム。
【請求項３６】
前記第１のシステムオンチップは少なくとも１つの周辺機器処理モジュールを備える、請求項２３に記載の無線プリンタシステム。
【請求項３７】
前記第１のシステムオンチップは少なくとも１つの入／出力（Ｉ／Ｏ）処理モジュールを備える、請求項２３に記載の無線プリンタシステム。
【請求項３８】
請求項２３に記載の無線プリンタシステムを備えると共に、前記印刷画像信号に基づいて印刷する印刷手段をさらに備える、プリンタ。
【発明の詳細な説明】
【技術分野】
【０００１】
本開示は、無線印刷インタフェースに関し、より詳細には、無線プリンタアーキテクチャに関する。
【０００２】
［関連出願の相互参照］
本願は、２００７年５月２２日に出願された米国特許出願第１１／７５１，６８７号、及び２００６年５月２６日に出願された米国仮特許出願第６０／８０８，６３４号の利益を主張する。上記特許出願の開示は参照によりその全体が本明細書に援用される。
【背景技術】
【０００３】
本明細書において提供される背景の説明は、本開示の背景を包括的に提示することを目的とする。この背景技術のセクションにおいて記載されている限りでは、現在挙げられている発明者の著作物、及びその他の様態で出願時点で従来技術とみなされ得ない記載の諸態様は、明示的にも暗示的にも本開示に対する従来技術とは認められない。
【０００４】
無線プリンタは、プリンタケーブル及び／又は所望のプリンタロケーション付近の既存の有線ネットワーク接続の必要性をなくす。図１を参照すると、無線印刷のための無線プリンタアーキテクチャ１０が示されている。無線プリンタアーキテクチャ１０は、インタフェース１６を介して画像化サブシステム１４と通信する無線サブシステム１２を含む。無線サブシステム１２は、画像化サブシステム１４に加えて、無線通信機能を提供するために使用される。画像化サブシステム１４は、有線通信接続を有するプリンタにおいて使用される従来の画像化回路に類似のものとすることができる。インタフェース１６は、それぞれの入／出力インタフェース１８、２０間に結合され、シリアル周辺機器インタフェース（ＳＰＩ）、シリアル周辺機器入／出力（ＳＰＩＯ）、ＵＳＢ及び／又は他の適切なインタフェースを含むことができる。
【０００５】
無線サブシステム１２は、通信インタフェース２４を介して無線周波数（ＲＦ）送受信機２２と通信すると共に、当該送受信機に接続される。送受信機２２は、リモートコンピュータのような印刷要求装置からアンテナ２６を介してＲＦ印刷コマンド及びデータ信号を送受信する。送受信機２２は、受信機２７と、送信機２８とを含む。受信機動作中、低雑音増幅器（ＬＮＡ）２９の入力はアンテナ２６から信号を受信し、当該信号を増幅して受信機２７に出力する。送信機動作中、送信機２８の出力は電力増幅器（ＰＡ）３０によって受信され、電力増幅器は増幅された信号をアンテナ２６に出力する。図示されていないが、送受信機２２は、周波数合成器、位相ロックループ（ＰＬＬ）、及び／又は電圧制御発振器（ＶＣＯ）も含むことができる。
【０００６】
無線サブシステム１２は、第１のプリント回路基板（ＰＣＢ）３４上に配置することができるベースバンド回路３２を含む。ベースバンド回路３２は、ベースバンドハードウェア３６と、無線マイクロプロセッサ（μＰ）３８とを含む。ベースバンド回路３２は、ランダムアクセスメモリ（ＲＡＭ）４０及び読出し専用メモリ（ＲＯＭ）４２と通信する。ＲＯＭ４２はベースバンド、及び受信されたベースバンド信号の処理に使用される他の無線インタフェースソフトウェア４４を記憶する。
【０００７】
画像化サブシステム１４は、第２のＰＣＢ５２上に配置される画像化回路５０を含む。画像化回路５０は、画像化ハードウェア５４と、画像化マイクロプロセッサ５６と、ＲＡＭ５８と、ＲＯＭ６０とを含む。画像化回路５０は、１つ又は複数の入／出力（Ｉ／Ｏ）インタフェース６２と通信する。ＲＯＭ６０は、印刷可能出力信号を生成するのに使用される画像化ソフトウェア６１を記憶する。Ｉ／Ｏインタフェース６２は、図示されるようなネットワーク接続６４、ＵＳＢ接続６６、又は他のネットワーク接続及び周辺機器接続を含むことができる。画像化回路５０は印刷機構７０に接続され、印刷機構７０は、物理的な印刷プロセスを実施するプリンタの電気的要素及び機械的要素を含む。印刷機構の印刷出力は、印刷可能出力信号に基づく。無線通信機能を有するプリンタは、それらの関連コストに少なくとも部分的に起因して、広範に使用されてこなかった。
【発明の開示】
【課題を解決するための手段】
【０００８】
無線プリンタシステムが提供され、当該無線プリンタシステムは、受信される無線周波数信号に基づいてベースバンド信号を生成する無線送受信機を備える。第１のシステムオンチップは、無線送受信機と通信する。当該システムオンチップは、無線インタフェースモジュールと、画像化モジュールとを備える。無線インタフェースモジュールは、無線インタフェースソフトウェアを介してベースバンド信号を処理して印刷データ信号を生成する。画像化モジュールは、画像化ソフトウェアを介して印刷データ信号を処理して印刷画像信号を生成する。
【０００９】
他の態様では、第１のシステムオンチップは中央処理装置を含む。
【００１０】
さらに他の態様では、無線プリンタシステムは、第１のシステムオンチップを含むシステムインパッケージをさらに備える。他の態様では、システムインパッケージは、無線インタフェースモジュール及び画像化モジュールと通信するメモリを備える。他の態様では、メモリは第２のシステムオンチップを含む。他の態様では、第２のシステムオンチップは無線インタフェースソフトウェア及び画像化ソフトウェアを含む。さらに他の態様では、メモリは無線インタフェースソフトウェア及び画像化ソフトウェアを含む。
【００１１】
さらなる態様では、システムインパッケージは、無線インタフェースソフトウェア及びプリンタ画像化ソフトウェア並びにデータを記憶するメモリ集積回路を備える。他の態様では、システムインパッケージは無線送受信機の少なくとも１つの構成要素を含む。他の態様では、システムインパッケージは、受信機、送信機、低雑音増幅器、及び電力増幅器から選択される、無線送受信機の少なくとも１つの構成要素を含む。他の態様では、システムインパッケージは複数のダイを含む。他の態様では、複数のダイは、送受信機ダイと、メモリダイとを含む。
【００１２】
さらに他の態様では、第１のシステムオンチップはネットワーク処理モジュールを備える。他の態様では、第１のシステムオンチップは少なくとも１つの周辺機器処理モジュールを備える。他の態様では、第１のシステムオンチップは少なくとも１つの入／出力（Ｉ／Ｏ）処理モジュールを備える。
【００１３】
さらに他の態様では、無線プリンタシステムを備えると共に、印刷画像信号に基づいて印刷する印刷機構をさらに備える、プリンタが提供される。
【００１４】
他の態様では、無線プリンタシステムを動作させる方法が提供される。本方法は、無線送受信機を介して受信される無線周波数信号に基づいてベースバンド信号を生成することを含む。無線送受信機は、システムオンチップを介して通信される。無線インタフェースソフトウェアを使用してベースバンド信号が処理されて、システムオンチップ上で印刷データ信号が生成される。画像化ソフトウェアを使用して印刷データ信号が処理されて、システムオンチップ上で印刷画像信号が生成される。
【００１５】
さらなる態様では、本方法は、中央処理装置を介して印刷データ信号及び印刷画像信号を生成することを含む。
【００１６】
他の態様では、本方法は、システムオンチップを含むシステムインパッケージを介して無線送受信機と通信することを含む。さらに他の態様では、本方法は、システムインパッケージ内に含まれるメモリを介して無線インタフェースモジュール及び画像化モジュールと通信することを含む。他の態様では、本方法は、メモリ内に記憶される無線インタフェースソフトウェア及び画像化ソフトウェアを介して無線インタフェースモジュール及び画像化モジュールと通信することを含む。
【００１７】
さらに他の態様では、本方法は、プリンタを介して印刷データ信号及び印刷画像信号を生成することを含む。印刷は、印刷画像信号に基く。
【００１８】
他の態様では、受信される無線周波数信号に基づいてベースバンド信号を生成する無線送受信手段を備える無線プリンタシステムが提供される。無線送受信機と通信する第１のシステムオンチップが含まれる。第１のシステムオンチップは、無線インタフェースソフトウェアを介してベースバンド信号を処理して印刷データ信号を生成する無線インタフェース手段を備える。第１のシステムオンチップはまた、画像化ソフトウェアを介して印刷データ信号を処理して印刷画像信号を生成する画像化手段を備える。
【００１９】
さらなる態様では、第１のシステムオンチップは中央処理装置を含む。
【００２０】
他の態様では、無線プリンタシステムは、第１のシステムオンチップを含むシステムインパッケージをさらに備える。
【００２１】
他の態様では、システムインパッケージは、無線インタフェース手段及び画像化手段と通信する記憶手段を備える。さらに他の態様では、記憶手段は第２のシステムオンチップを含む。他の態様では、第２のシステムオンチップは無線インタフェースソフトウェア及び画像化ソフトウェアを含む。他の態様では、記憶手段は無線インタフェースソフトウェア及び画像化ソフトウェアを含む。
【００２２】
さらに他の態様では、システムインパッケージは、無線インタフェースソフトウェア及びプリンタ画像化ソフトウェア並びにデータを記憶する記憶手段を備える。他の態様では、システムインパッケージは無線送受信手段の少なくとも１つの構成要素を含む。他の態様では、システムインパッケージは、受信機、送信機、低雑音増幅器、及び電力増幅器から選択される、無線送受信手段の少なくとも１つの構成要素を含む。他の態様では、システムインパッケージは複数のダイを含む。他の態様では、複数のダイは、送受信機ダイと、メモリダイとを含む。
【００２３】
さらなる態様では、第１のシステムオンチップはネットワーク処理モジュールを備える。他の態様では、第１のシステムオンチップは少なくとも１つの周辺機器処理モジュールを備える。他の態様では、第１のシステムオンチップは少なくとも１つの入／出力（Ｉ／Ｏ）処理モジュールを備える。
【００２４】
他の態様では、無線プリンタシステムを備えると共に、印刷画像信号に基づいて印刷する印刷手段をさらに備える、プリンタが提供される。
【００２５】
さらに他の態様では、上述のシステム及び方法は、１つ又は複数のプロセッサによって実行されるコンピュータプログラムによって実施される。コンピュータプログラムは、限定ではないが、メモリ、不揮発性データ記憶媒体及び／又は他の適切な有形の記憶媒体のようなコンピュータ可読媒体上に存在することができる。
【００２６】
本開示のさらなる適用可能領域は、以下に提供される詳細な説明から明らかになろう。詳細な説明及び具体的な実施例は、本開示の好ましい実施形態を示すが、例示のみを目的として意図され、本開示の範囲を限定するようには意図されないことは理解されたい。
【００２７】
本開示は、詳細な説明及び添付の図面からより十分に理解されよう。
【図面の簡単な説明】
【００２８】
【図１】従来技術による無線プリンタアーキテクチャの機能ブロック図である。
【図２】本発明の一実施形態による無線プリンタアーキテクチャを組み込んでいる無線プリンタ通信システムを示す機能ブロック図である。
【図３】本発明の別の実施形態による無線プリンタアーキテクチャを組み込んでいる無線プリンタ通信システムを示す機能ブロック図である。
【図４】図３の無線プリンタアーキテクチャの側部断面図である。
【図５】本発明の一実施形態による無線プリンタアーキテクチャを形成する方法を示す流れ図である。
【図６】本発明の一実施形態によるプリンタと無線通信する方法を示すデータ流れ図である。
【発明を実施するための最良の形態】
【００２９】
以下の説明は本質的に例示に過ぎず、本開示、その用途、又は使用を限定するようには決して意図されていない。明確にするために、同じ参照符号は図面において同様の要素を識別するために使用される。本明細書において使用される場合、用語「モジュール」は、１つ又は複数のソフトウェアプログラム若しくはファームウェアプログラムを実行する特定用途向け集積回路（ＡＳＩＣ）、電子回路、（共有、専用若しくはグループ）プロセッサ、及びメモリ、組合せ論理回路、並びに／又は記載される機能を提供する他の適切なコンポーネントを指す。本明細書において使用される場合、「Ａ、Ｂ、及びＣのうちの少なくとも１つ」という語句は、非排他的論理ＯＲ（or：又は）を使用して論理（Ａ又はＢ又はＣ）を意味するように解釈されるべきである。方法内のステップは、本開示の原理を変更することなく異なる順序で実行されてもよいことは理解されたい。
【００３０】
また、以下の説明において、用語「システムオンチップ（ＳＯＣ）」は、複数の構成要素を単一の集積回路上に集積したものを指す。ＳＯＣは、単一のチップ上にデジタル、アナログ、混合信号、及び無線周波数の機能を含むことができる。たとえば、プロセッサ及びメモリをＳＯＣによって集積することができる。
【００３１】
同様に、以下の説明において用語「システムインパッケージ（ＳＩＰ）」は、単一のパッケージ又はモジュール内に封入されている２つ以上の集積回路を指す。ＳＩＰは、電子システムの機能のすべて又はほとんどを実施することができる。ＳＩＰは、標準的な公式のマイクロ電子パッケージに付属の１つ又は複数の受動素子を有する１つ又は複数のワイヤボンディングされたダイ又はフリップチップダイの組合せを指してもよい。パッケージは、基板レベルの製造において標準的な構成要素として使用することができる機能ブロック又はモジュールを形成する。集積回路又はチップは、パッケージ内で垂直に積み重ねるか、又は水平方向において互いに平行に配置することができる。
【００３２】
ＳＩＰ及びＳＯＣの使用は、回路基板断面積要件、システムコスト、及び全体の電力消費を低減する傾向にある。ＳＩＰは、ワイヤボンドアセンブリ技術によって小さな設置面積を提供し、要素及びデバイス間の相互接続を可能にする。ワイヤボンドは、チップサイズのボールグリッドアレイ（ＢＧＡ）パッケージ内に封入することができる。ＢＧＡは、はんだボールマトリックスの形態の出力ピンを有する集積回路パッケージを指す。ＢＧＡの配線は、一般的に（ＢＴベースの）積層基板又はポリイミドベースの薄膜上に作製される。
【００３３】
以下の説明では、用語「ダイ」（"die" and "dice"）は、特定の機能を実施する回路を含むウェハの１つ又は複数の矩形パターンを指す。ダイは一般的に、封入されて、モジュール上に配置することができるチップを形成する。
【００３４】
ここで図２を参照すると、無線プリンタ通信システム１００を示す機能ブロック図が示されている。無線プリンタアーキテクチャ１０２はプリンタの形態で示されており、したがってデスクトッププリンタ、ネットワークプリンタ、共有プリンタ等に含まれることができる。無線プリンタ通信システム１００は、制御モジュール１０４と、送受信機１０６と、メモリ１０８とを有する無線プリンタアーキテクチャ１０２を含む。制御モジュールは、集積回路（ＩＣ）の形態で示される。制御モジュール１０４は、ベースバンドハードウェア１１０と、画像化ハードウェア１１２とを含む。制御モジュール１０４は、ベースバンドハードウェア１１０を介して送受信機１０６と通信している。制御モジュール１０４は、画像化ハードウェア１１２を介して印刷機構１１４とも通信している。
【００３５】
使用中、送受信機１０６は、無線周波数（ＲＦ）印刷コマンド信号及び／又はデータをアンテナ１１６及びアンテナインタフェース１１８を介して無線で受信する。印刷信号は動作モードに応じてさまざまなロケーションから受信することができる。たとえば、インフラストラクチャモードで動作しているとき、受信信号は、アクセスポイント／ルータ１２２を介して通信ネットワーク１２１に関連付けられているクライアントステーション１２０又は別のデバイスから受信することができる。アクセスポイント／ルータ１２２は、モデム１２３及びサービスプロバイダを介して通信ネットワーク１２１と通信することができる。アドホックモードで動作しているとき、受信信号は、クライアントステーション１２０'から直接受信することができる。クライアントステーション１２０、１２０'は、中央処理装置（ＣＰＵ）を有することができる。クライアントステーションは、任意の印刷信号送信デバイス又は媒体を指すことができる。クライアントステーション１２０、１２０'及びアクセスポイント／ルータ１２２は、ローカルエリアネットワーク（ＬＡＮ）、仮想ローカルエリアネットワーク（ＶＬＡＮ）、無線ローカルエリアネットワーク（ＷＬＡＮ）の一部とすることができる。送受信機１０６は、印刷信号を、制御モジュール１０４が受信するためのベースバンドフォーマットに変換する。制御モジュール１０４は、受信したベースバンド信号に基づいて印刷機構１１４の動作を制御する。通信ネットワーク１２１は、インターネット、イントラネット、又は他の商用、教育用、若しくは住居用の通信ネットワークとすることができるか、又はそれらを含む。通信ネットワーク１２１はたとえば、広域ネットワーク（ＷＡＮ）を含むことができる。また、一例として、無線プリンタアーキテクチャ１０２との上記の通信は、指定帯域幅又は共有帯域幅を介するものとすることができる。無論、通信は印刷コマンド信号以外の信号を含むことができ、無線プリンタアーキテクチャ１０２への、また無線プリンタアーキテクチャ１０２からの送信を含むことができる。
【００３６】
制御モジュール１０４は、通常は縮小命令セットコンピューティング（ＲＩＳＣ）プロセッサによってハンドリングされる複雑なリアルタイムのメディアデータフロー及び制御指向のタスクをハンドリングするマイクロ信号アーキテクチャ（ＭＳＡ）を有することができる。他のタイプのプロセッサを同様に使用することができる。制御モジュール１０４は、デジタル信号プロセッサ（ＤＳＰ）機能及びＲＩＳＣ機能の両方を有すると共に、ビデオ圧縮、運動圧縮、及び、ハフマン符号化アルゴリズムのような、無損失のデータ圧縮に使用されるエントロピー符号化アルゴリズムを実行することができるソフトウェアをサポートすることができる。上記のアルゴリズムは、ＭＰＥＧ２、ＭＰＥＧ４及びＪＰＥＧのようなビデオ処理標準規格及び画像処理標準規格によって使用される。制御モジュール１０４は、マルチフォーマットのオーディオ、ビデオ、音声及び画像の処理、マルチモードのベースバンド及びパケットの処理、並びにリアルタイムのセキュリティ及び制御の処理を含む機能が集中しているアプリケーションをサポートすることができる。
【００３７】
制御モジュール１０４は、図示するようなさまざまな処理モジュール及び通信インタフェースを含むことができる。１つのサンプルの実施形態では、制御モジュール１０４は、ベースバンド処理モジュール１３２と、画像処理モジュール１３４と、ネットワーク処理モジュール１３６と、周辺機器処理モジュール１３８と、入／出力（Ｉ／Ｏ）プロトコル処理モジュール１４０とを含む主マイクロプロセッサ１３０を含む。主プロセッサ１３０は、ＤＳＰ又はマイクロプロセッサとすることができる。モジュール１３２〜１４０はソフトウェア又はファームウェアの形態とすることができる。
【００３８】
ベースバンドモジュール１３２は、無線通信のためのロジック及び／又はソフトウェアを含む。無線通信は、ＩＥＥＥ標準規格８０２．１１、８０２．１１ａ、８０２．１１ｂ、８０２．１１ｇ、８０２．１１ｈ、８０２．１１ｎ、８０２．１６、及び８０２．２０等に基づくことができる。ベースバンドモジュール１３２は、Ｂｌｕｅｔｏｏｔｈシステムの一部とすることができ、伝送制御プロトコル／インターネットプロトコル（ＴＣＰ／ＩＰ）のような特定のプロトコルに従ってデータの流れを管理する１つ又は複数のプロトコルスタック又はソフトウェアサブシステムを有することができる。ベースバンドモジュール１３２は、標準パラレルポート（ＳＰＰ）、ハードコピーケーブル置換プロファイル（hardcopy cable replacement profile）（ＨＣＲＰ）、及びオブジェクトプッシュプロファイル（ＯＰＰ）のようなさまざまなＢｌｕｅｔｏｏｔｈプロファイルをサポートすることができる。無線通信は直接、制御モジュール１０４と、クライアントステーション１２０'のような上流のデバイスとの間で行うことができる。ベースバンドモジュール１３２は、通信チャネル並びに非同期リンク及び同期リンクを管理する。ベースバンドモジュール１３２は、パケット、ページング、及び、その領域内の任意の照会デバイスにアクセスするための照会もハンドリングする。
【００３９】
画像モジュール１３４は、さまざまな画像化タスク及び／又は印刷タスクの実行に関連付けられるロジック及び／又はソフトウェアを含む。画像モジュール１３４は、画像の印刷、閲覧、及び編集のためのプログラミングを含むことができる。画像モジュール１３４は、テキスト並びに他のさまざまな印刷フォーマット及び画像化フォーマットも処理することができる。画像モジュール１３４は、文書又は画像内の情報の記憶、管理、又は抽出に使用することができる。
【００４０】
ネットワークモジュール１３６、周辺機器モジュール１３８、及びＩ／Ｏモジュール１４０は、Ｉ／Ｏ１〜ｎ並びに任意の外部周辺機器及びそれらに接続されるか又は制御モジュール１０４と通信するネットワークと有線通信するためのロジック及び／又はソフトウェアを含む。Ｉ／Ｏ１〜ｎは、上述のようなネットワーク、ユニバーサルシリアルバス（ＵＳＢ）、ＦｉｒｅＷｉｒｅ、イーサネットライン、ユニバーサル同期／非同期送受信回路（ＵＳＡＲＴ）、シリアル周辺機器インタフェース（ＳＰＩ）又は他の通信インタフェースに接続することができる。周辺機器モジュール１３８は、カウンタ、タイマ、及びジェネレータのような内部周辺機器をハンドリングするロジック及び／又はソフトウェアを含むこともできる。Ｉ／Ｏ１〜ｎは、シリアルポート又はパラレルポートの形態とすることができる。処理モジュール１３２〜１４０は、図示されるように別個のモジュールとすることもできるし、又は組み合わせて単一のモジュールとすることもできる。
【００４１】
インタフェースは、ベースバンドハードウェア１１０によって制御される送受信機インタフェース１５０を含む。インタフェースは、メモリインタフェース１５２、Ｉ／Ｏインタフェース１５４、及び印刷機構インタフェース１５６も含む。これらのインタフェースは、制御モジュール１０４と、送受信機１０６、メモリ１０８、印刷機構１１４、及びＩ／Ｏ１〜ｎとの間の通信を促進する。
【００４２】
送受信機１０６及びアンテナ１１６は、クライアントステーション１２０'との無線周波数（ＲＦ）信号の送受信に使用される。送受信機１０６は、受信機１６３及び送信機１６４を含む。受信機動作中、低雑音増幅器（ＬＮＡ）１６５の入力はアンテナ１１６から信号を受信し、当該信号を増幅して受信機１６３に出力する。送信機動作中、送信機１６４の出力は電力増幅器（ＰＡ）１６６によって受信され、当該電力増幅器（ＰＡ）１６６は増幅された信号をアンテナ１１６に出力する。図示されていないが、送受信機１０６は、プロセッサ、並びに、周波数合成器、位相ロックループ（ＰＬＬ）、及び電圧制御発振器（ＶＣＯ）のような他の標準的な要素及び構成要素も含むことができる。送受信機１０６は、合成信号構成要素、アナログ構成要素、及びデジタル構成要素を有することができ、無線通信のためのさまざまなプロトコルに関連付けられる複数の層を有することができる。上記の層は、ＷｉＦｉ、並びにＩＥＥＥ標準規格８０２．１１、８０２．１１ａ、８０２．１１ｂ、８０２．１１ｇ、８０２．１１ｈ、８０２．１１ｎ、８０２．１６、及び８０２．２０、並びに他の通信プロトコル、接続及び標準規格をサポートすることができる。
【００４３】
メモリ１０８は、上記のモジュール及び通信プロトコルのためのプログラミングを記憶すると共に、それに関連付けられる処理タスクを実施するのに使用される。メモリ１０８は、図示されるように、ランダムアクセスメモリ（ＲＡＭ）１７０及び読出し専用メモリ（ＲＯＭ）１７２、並びに他の既知のメモリタイプを含むことができる。一実施形態では、ＲＡＭ１７０は画像化ハードウェア機能のために使用され、ＲＯＭ１７２はベースバンドソフトウェア１７４及び画像化ソフトウェア１７６を記憶するのに使用される。別の例として、ＲＡＭ１７０は、別個のｋｎｏｗｎ  ｇｏｏｄ  ｄｉｅ（ＫＧＤ）ダイナミックランダムアクセスメモリ又はスタティックランダムアクセスメモリとすることができる。
【００４４】
ベースバンドハードウェア１１０は、ロジックデバイスを含むことができ、ベースバンドモジュール１３２と連携して動作する。ベースバンド機能は、ベースバンドハードウェア１１０とベースバンドモジュール１３２とによって共有される。一般的に、タスクは速度、効率、及び容量に基づいて分担される。たとえば、また一般的に、ベースバンドハードウェア１１０は、ベースバンドモジュール１３２よりも迅速に暗号化及び暗号解読する。したがって、ベースバンドハードウェア１１０は暗号化及び暗号解読に関連付けられるタスクを実施する。
【００４５】
画像化ハードウェア１１２は、ロジックデバイスを含むことができ、画像モジュール１３４と連携して動作する。画像処理機能は、画像化ハードウェア１１２と画像モジュール１３４とによって共有される。
【００４６】
印刷機構は、印刷機能を実施する機械的構成要素及び電気的構成要素を指し、それらを含むことができる。印刷機構は、プリントカートリッジ、ローラ、トナー、モータ、感光体、定着ローラ、レーザ、ランプ、走査装置、コロナワイヤ、プリントヘッド、ベルト、給紙機等を含むことができる。
【００４７】
図３を参照すると、無線プリンタ通信システム１００'を示す機能ブロック図が示されている。無線プリンタ通信システム１００'は、無線プリンタ通信システム１００に類似している。無線プリンタ通信システム１００'は、無線プリンタＳＩＰ１９０を有する無線プリンタアーキテクチャ１０２'を含み、無線プリンタＳＩＰ１９０は、制御モジュール１０４'と、送受信機１０６'の受信機１６３'及び送信機１６４'と、メモリ１０８'とを含む。制御モジュール１０４'は制御ダイ２００を有することができ、受信機１６３'及び送信機１６４'は送受信機ダイ２０２を有することができ、メモリ１０８'はメモリダイ２０４を有することができる。ＬＮＡ１６５'及びＰＡ１６６'は、そのようには示されていないが、ＳＩＰ１９０及び送受信機ダイ２０２内に組み込むこともできることに留意されたい。ダイ２００、２０２、２０４は、ＰＣＢ上にあるか又は他の方法で配置されるのとは対照的に、マイクロ電子パッケージ上に実装される。メモリ１０８'は、単一のチップ上にあることができる１つ又は複数のＲＡＭ１７０'と、１つ又は複数のＲＯＭ１７２'とを含む。無線プリンタアーキテクチャ１０２'は、図示されるような独立型の回路若しくはパッケージとすることができるか、又はより大きなシステム内に組み込むか若しくはその一部として使用することができる。
【００４８】
ここで図４も参照すると、無線プリンタアーキテクチャ１０２'のサンプルの側部断面図が示されている。無線プリンタアーキテクチャ１０２'は単一のＳＩＰの形態で示されており、プリント回路基板２１０上に実装されるダイ２００、２０２、２０４を含む。プリント回路基板２１０は、最上層２１４と底層２１６との間に配置される剛性の積層２１２を有する。最上層２１４は、バイア２１８を使用することによって底層２１６と連通している。最上層２１４は第１のソルダーレジスト２２０を有し、底層２１６は第２のソルダーレジスト２２２を有する。ダイ２００、２０２、２０４は最上層２１４上に実装される。ダイ２００、２０２、２０４、及びＳＩＰの任意の表面実装型デバイスは、成形複合物又は容器（encasement）２２４内に入れられる。はんだボール２２６は、回路基板（図示せず）への接続のために底層２１６に接続される。無線プリンタアーキテクチャ１０２'は単一のダイ層を有すると共に複数のＳＩＣを伴うものとして示されているが、アーキテクチャは積層されたダイ又は積層されたＳＩＣを含むように形成することもできる。
【００４９】
上述のアーキテクチャは、プロセッサ、メモリ、並びに電気コネクタ及び電気接続を効率的に使用することを可能にする。アーキテクチャは、プロセッサのアイドル動作時間並びにメモリ及びＩ／Ｏの冗長性を最小化する。アーキテクチャはまた、構成要素の数の最小化、複数のプロセッサ間の通信がなくなること、及び使用される構成要素が近接していることに起因して接続速度（connectivity rate）を向上させることを可能にする。アーキテクチャはまた、ＰＣＢ表面積及びシステムの複雑性を最小化する。
【００５０】
ここで図５を参照すると、無線画像化通信アーキテクチャを形成する方法を示すプロセス流れ図が示されている。本方法は、単一のＳＩＰアーキテクチャの形成を説明する。
【００５１】
ステップ２５０において、スクリーンペーストがＰＣＢ２１０のようなプリント回路基板（ＰＣＢ）に塗布される。スクリーンペーストは、メッシュスクリーンステンシル印刷プロセス又は金属ステンシル印刷プロセスを使用して塗布することができる。ステップ２５２において、表面実装型デバイス（ＳＭＤ）がＰＣＢの表面上に直接実装される。ステップ２５４において、ダイ２００、２０２、２０４がＰＣＢに取り付けられる。ダイ２００、２０２、２０４はＰＣＢ上に結合又は接着することができる。
【００５２】
ステップ２５６において、ワイヤボンディングプロセスが実施されて、ダイ２００、２０２、２０４及びＳＩＰの他の要素への接続が可能になる。ワイヤは熱、圧力、及び超音波エネルギーの或る組合せを使用して取り付けられ、溶接部を形成することができる。
【００５３】
図６を参照すると、印刷装置と無線通信する方法を示すデータ流れ図が示されている。本方法は、主に印刷に関して説明されるが、他の画像化タスクのために容易に変更することができる。
【００５４】
ステップ３００において、送受信機１０６、１０６'のうちの一方のような送受信機がＲＦ印刷コマンド信号を受信する。印刷コマンド信号は、コンピュータ、携帯電話、個人情報端末（ＰＤＡ）等のような任意の印刷要求装置からのものとすることができる。
【００５５】
ステップ３０２において、ＲＦ信号が増幅される。ステップ３０４において、増幅されたＲＦ信号がベースバンド信号に変換される。ステップ３０６において、送受信機インタフェース１５０、１５０'のうちの一方のような無線送受信機インタフェースがベースバンド信号を受信する。ステップ３０８において、ベースバンドモジュール１３２のような無線通信モジュール又はベースバンド処理モジュールが、ベースバンド信号を処理して印刷データ信号を生成する。
【００５６】
ステップ３１０において、画像モジュール１３４のような画像化モジュールが、印刷データ信号を処理して印刷可能画像信号を生成する。画像処理モジュールは適切な圧縮、復元、編集、変換、トラッキング、安定化、及び他の画像処理タスクを実施して印刷可能画像信号を生成する。
【００５７】
ステップ３１２において、印刷機構１１４のような印刷機構が印刷可能画像信号に基づいて印刷する。
【００５８】
ここで、上記の説明から、本開示の広範な教示をさまざまな形態で実施することができることを、当業者は理解することができる。したがって、本開示は特定の実施例を含んでいるが、当業者には、図面、本明細書、及び添付の特許請求の範囲を研究することによって他の変更形態が明らかになるため、本開示の真の範囲はそのように限定されるべきではない。
【図１】
2009538477.tif 000003
【図２】
2009538477.tif 000004
【図３】
2009538477.tif 000005
【図４】
2009538477.tif 000006
【図５】
2009538477.tif 000007
【図６】
2009538477.tif 000008
【国際調査報告】
2009538477.tif 000009
2009538477.tif 000010
2009538477.tif 000011